(57)【要約】【課題】藻場造成を効率良く、低コストにて可能とし、かつ個々の重量は軽微でも集合堆積することで安定した集積体を形成し、海中のうねり等による流失や、磯焼け現象の害を防ぐことができるようにする。【解決手段】砂利、かわら片、ガラスカレット、セラミックス等の硬質性骨材を使用したコンクリートブロック１に、オガ粉、天然繊維片あるいは合成繊維片、軟質樹脂砕片等の軟質性骨材を使用したソフトコンクリート２を打ち接ぎすると共に、その外面全体を合成樹脂層３でコーティングしてなる透水性のアンカーＡを設け、このアンカーＡにおけるソフトコンクリート２の部分に、あらかじめ海藻の胞子を付着させたフエルト生地、スポンジ生地等からなる藻類胞子着床部材４を止め金具５を打ち込んで取りつけることにより構成される。【選択図】　　　　　図２
2004105060.tif 000002
【特許請求の範囲】
【請求項１】
砂利、かわら片、ガラスカレット、セラミックス等の硬質性骨材を使用したコンクリートブロックに、オガ粉、天然繊維片あるいは合成繊維片、軟質樹脂砕片等の軟質性骨材を使用したソフトコンクリートを打ち接ぎすると共に、その外面全体を合成樹脂層でコーティングしてなる透水性のアンカーを設け、このアンカーにおけるソフトコンクリートの部分に、あらかじめ海藻の胞子を付着させたフエルト生地、スポンジ生地等からなる藻類胞子着床部材を止め金具を打ち込んで取りつけることを特徴とする人工藻場造成用の海洋ブロック。
【発明の詳細な説明】
【０００１】
【発明の属する技術分野】
本発明は、人工藻場造成用の海洋ブロックに関する。
【０００２】
【従来の技術】
従来より、コンクリート製の海藻増殖礁、漁礁等は多数存在する。また、木材、フエルト等で製造された藻場造成用構造物も多数存在する。これらは全て海中に沈設することによって使用される。
【０００３】
【発明が解決しようとする課題】
しかしながら、過去に沈設された増殖礁、漁礁等の多くは巨大で、その沈設作業に係る経費も莫大である。
【０００４】
また、コンクリート製は、劣化するとアルカリを溶出し、磯焼け現象で環境を破壊する。さらに、木材、フエルト等製は、軽量なため、海中のうねり等の激しい環境変化に対応できず流失し易い問題がある。
【０００５】
現実に、沈設初期には成功したかに見える礁も、多くは手入れできない地上の開墾地と同様に沈設後数年で雑草に覆われてしまい、目的の褐藻類はほとんど生育していないのである。
【０００６】
本発明は、従来技術の有する以上の問題点を解消するもので、船上より海中に投入するだけで、藻場造成を効率良く、低コストにて可能とし、かつ個々の重量は軽微でも集合堆積することで安定した集積体を形成し、海中のうねり等による流失や、磯焼け現象の害を防ぐことができる人工藻場造成用の海洋ブロックを提供することを目的とする。
【０００７】
【課題を解決するための手段】
上記目的を達成するために、本発明に係る人工藻場造成用の海洋ブロックは、砂利、かわら片、ガラスカレット、セラミックス等の硬質性骨材を使用したコンクリートブロックに、オガ粉、天然繊維片あるいは合成繊維片、軟質樹脂砕片等の軟質性骨材を使用したソフトコンクリートを打ち接ぎすると共に、その外面全体を合成樹脂層でコーティングしてなる透水性のアンカーを設け、このアンカーにおけるソフトコンクリートの部分に、あらかじめ海藻の胞子を付着させたフエルト生地、スポンジ生地等からなる藻類胞子着床部材を止め金具を打ち込んで取りつけることを特徴とする。
【０００８】
【発明の実施の形態】
以下、本発明の実施の形態について図面を参照して詳細に説明する。
図１は、本発明に係る人工藻場造成用の海洋ブロックが多数沈設された状態を示す説明図であり、図２は、同上海洋ブロックの縦断面図であり、図３は、他例の海洋ブロックの縦断面図である。
【０００９】
図中１は、多空隔のコンクリートブロックで、アンモニア、カリウム、酸化鉄、カルシウムを主材として配合した無機質混和剤と、砂利、かわら片、ガラスカレット、セラミックス等の硬質性骨材とをセメントに混練して形成される。
【００１０】
図中２は、多空隔のソフトコンクリートブロックで、上記の無機質混和剤と、オガ粉、天然繊維片あるいは合成繊維片、軟質樹脂砕片等の軟質性骨材とをセメントに混練してソフトコンクリートを作製し、このソフトコンクリートを上記コンクリートブロック１の上部に打ち接ぐことで一体に形成される。
【００１１】
図中３は、コンクリートブロック１およびソフトコンクリートブロック２の外側全体にコーティングされたポリエチレン、ポリプロピレン等の合成樹脂層で、これにより経時変化等によるアルカリ溶出の防止可能な透水性アンカーＡが形成される。
【００１２】
図中４は、あらかじめ海藻の胞子を付着させた藻類胞子着床部材で、透水性アンカーＡにおけるソフトコンクリートブロック２の上面に止め金具５を打ち込んで取りつけられる。
【００１３】
上記透水性アンカーＡは図１および図２では、直径１５０ｍｍ、高さ３００ｍｍの円柱状に形成されている。図３では、下部の直径１５０ｍｍ、上部の直径１００ｍｍ、高さ３００ｍｍの台形状に形成されている。
しかし、これら以外の形状、例えば、三角形、四角形等でも良いことは勿論である。いずれの形状でも、コンクリートブロック１とソフトコンクリートブロック２の容積の割合は、だいたい３対１位とし、全体の重量は、漁船から手作業で海洋へ投入することが可能な１８ｋｇ以下とするのが望ましい。
【００１４】
上記藻類胞子着床部材４としては、１０ｍｍ〜１００ｍｍ位のフエルト生地、スポンジ生地等が好適である。そして、これらの一端をソフトコンクリートブロック２の上面に、止め金具５としてＵ字釘４ａ（図１および図２に示す）、あるいは先端に取付け用の巻き部を備えた巻き釘４ｂ（図３に示す）を使って釘止めする。これによって、着床部材４は、海中のうねり等で離脱し、海中に流失することがないものである。
【００１５】
使用に際しては、例えば海底１００平米に約１０００個を船上より投入すると、海洋ブロックは適宜に重なり合って藻場造成エリアを形成する。このとき、軽量なソフトコンクリートブロック２を上にして沈降するので、着床部材４は海底においてほぼ上向き状態を維持する。そして、それぞれの着床部材４の表面には、水槽内で培養した海藻の胞子を前もって付着させてあるため、時期がくるとその着床部材４に当該海藻が着床発芽するものである。図１において、ａはその海藻を示す。
【００１６】
海藻の胞子の種類としては、アラメ、コンブ、ワカメ、クロメ、ホンダワラ等々の何れでも良いが、設置海域に適した種を選ぶことが必要である。
【００１７】
【発明の効果】
本発明は、以上のとおり構成されるものであるから、以下に述べる効果を有する。
（１）海洋ブロックの全体が小型軽量で製造も容易なため、船上で手作業で海洋へ投入することが可能となり、小規模な礁の効率の良い製作が可能となり、沈設経費の大幅な節減を図ることができる。
（２）また、必要に応じていつでも追加投入ができるから、不毛化した老朽化漁礁間に投入して藻場再生を可能にする。
（３）海洋へ投入された海洋ブロックは、個々の重量は軽微でも集合堆積することで安定した集積体を形成するため、台風時の海流の激しいうねりにも力学的に崩壊、流失の影響はきわめて少ないものである。
（４）透水性のアンカーを形成するコンクリートブロックは、その外面が合成樹脂層でコーティングされているため、コンクリートの劣化等によるアルカリの溶出を防ぐことができ、磯焼け現象等の害を発生することなく、長期間有効に使用することができる。
（５）透水性のアンカーを、通常のコンクリートブロックにソフトコンクリートを打ち接ぎし、このソフトコンクリート部分に、あらかじめ海藻の胞子を付着させたフエルト生地、スポンジ生地等からなる藻類胞子着床部材を止め金具を打ち込むことで取りつけるものであるから、着床部材の取付作業がきわめて短時間で簡単に行なえ、しかもいったん取りつけると、しっかりと固定されているため、海流によって離脱、流失することは少ないものである。
（６）骨材としてかわら片、ガラスカレット、セラミックス、オガ粉、繊維、プラスチック片等を利用できるため、産業廃棄物を資材として大量にリサイクルすることができるものである。
【図面の簡単な説明】
【図１】本発明に係る人工藻場造成用の海洋ブロックが多数沈設された状態を示す説明図である。
【図２】同上海洋ブロックの縦断面図である。
【図３】他例の海洋ブロックの縦断面図である。
【符号の説明】
１　　コンクリートブロック
２　　ソフトコンクリートブロック
３　　合成樹脂層
４　　藻類胞子着床部材
５　　止め金具
Ａ　　透水性アンカー
【図１】
2004105060.tif 000003
【図２】
2004105060.tif 000004
【図３】
2004105060.tif 000005